(57)【要約】【課題】電源供給ケーブルを敷設しなくともカードリーダ無線端末の電力量を十分に確保できるソーラー式ＩＣカード読取無線端末搭載スタンドを提供する。【解決手段】鉄製の外枠４の天井、前面に第１乃至第３のソーラーパネル１〜３を搭載している。天井に搭載された第１のソーラーパネル１に対してその重量及び強風耐用に補強材６を設けてこれを支える。外枠４の前面上部には、アクリル樹脂から成る取付板７を傾斜させて外枠４に取り付け、該取付板７に非接触でＩＣカードの情報を読み取る無線端末１０を設置する。第１のソーラーパネル１および取付板７の両側に設置された補強材６によりフードが形成され、無線端末１０が直射日光および風雨に曝されることを防止している。また無線端末１０の読取操作/表示部のみが透明のまま残された取付板７を通して見えるようにされており、それ以外は外枠４と同色に塗装されるため内部が見えないようにされる。【選択図】図１
2011237948.tif 000002
【特許請求の範囲】
【請求項１】
外枠の天井に第１のソーラーパネルを搭載し、該外枠の前面に第２及び第３のソーラーパネルを搭載するとともに、前記第１のソーラーパネルに対してその重量及び強風耐用に補強材を設けてこれを支え、さらに、前記前面の上部に有機ガラスから成る取付板を傾斜させて前記外枠に取り付け、該取付板に非接触でＩＣカードの情報を読み取る無線端末を取付け、該取付板の一部のみを透明のまま残し、該残した透明部分に前記無線端末の読取操作/表示部をあてがうよう配置したことを特徴とするソーラー式ＩＣカード読取無線端末搭載スタンド。
【請求項２】
前記第１のソーラーパネルおよび前記取付板の両側に設置された前記補強材によりフードを形成したことを特徴とする請求項１に記載のソーラー式ＩＣカード読取無線端末搭載スタンド。
【請求項３】
前記取付板としてアクリル樹脂を用いて渦電流の発生を防いだことを特徴とする請求項１または２に記載のソーラー式ＩＣカード読取無線端末搭載スタンド。
【請求項４】
前記外枠の側面にソーラーパネルをさらに取り付けたことを特徴とする請求項１ないし３のいずれか一項に記載のソーラー式ＩＣカード読取無線端末搭載スタンド。
【請求項５】
前記ソーラーパネルおよび前記取付板並びにメンテナンス用扉の各取付け部にパッキンやコーキングを行って防水処理を施すとともに該取り付け部を除く前記外枠を覆う部分に塗装を行って防錆処理を施したことを特徴とする請求項１ないし４のいずれか一項に記載のソーラー式ＩＣカード読取無線端末搭載スタンド。
【請求項６】
前記無線端末を車載用充電器に充電可能にセットした状態で収納部に収納し、該収納部を保持する保持部を介して前記取付板に取り付けたことを特徴とする請求項１に記載のソーラー式ＩＣカード読取無線端末搭載スタンド。
【請求項７】
前記取付板の透明部分にあてがわれた前記無線端末の読取操作/表示部にＩＣカードをタッチまたは接近させる操作を行ったとき、認証の場合には、該読取操作/表示部に認証されたことを示す丸印を大きく表示し、不認証の場合には、×印を大きく表示することを特徴とする請求項１に記載のソーラー式ＩＣカード読取無線端末搭載スタンド。
【請求項８】
前記請求項１ないし請求項７のいずれか一項に記載のソーラー式ＩＣカード読取無線端末搭載スタンドに設置されたＩＣカード読取無線端末にＩＣカードをタッチ又は近づけることにより該ＩＣカードに格納された情報を読み込み、該読み込んだ情報を無線ＬＡＮ-アクセスポイントおよびＬＡＮを経由して入退要求として入退管理サーバに通知し、該入退管理サーバは前記入退要求を入退データベースに照会して、入退に係る承認／不承認を判断し、それを入退結果として前記無線端末に返信し、前記無線端末は該入退結果をその操作/表示画面に表示することを特徴とする入退管理システム。
【発明の詳細な説明】
【技術分野】
【０００１】
本発明は、戸外に設置したスタンド内にＩＣカードを非接触で読み取るカード読取無線端末を設置し、該カード読取無線端末にソーラーパネルで発電した電力を直流で供給して、従来のような電源供給ケーブルの敷設なしにＩＣカードの読取を可能にするソーラー式ＩＣカード読取無線端末搭載スタンドに関する。
【背景技術】
【０００２】
従来、ＩＣカードを非接触で読み取るカードリーダ(読取)端末を戸外で使用する場合には、内蔵バッテリーを備えるカードリーダ無線端末にあっては、使用前に十分に内蔵バッテリーを充電したうえで使用するか、または、内蔵バッテリーを備えないカードリーダ端末にあっては、カードリーダ端末近くまで電源供給ケーブルを敷設し、該電源供給ケーブルを通して該カードリーダ端末に電源を供給して使用するか、のいずれかの方法が採用されていた。
【０００３】
さらに上記内蔵バッテリーを備えるカードリーダ無線端末において、下記特許文献１に示されるような端末の表示パネル側の面の一部にソーラーパネルを設置して該ソーラーパネルを用いて該端末に電源を供給するような応用が考えられていた。
【先行技術文献】
【特許文献】
【０００４】
【特許文献１】特開2003-189008号公報
【発明の概要】
【発明が解決しようとする課題】
【０００５】
上記特許文献１に示された技術を応用する例にあっては、カードリーダ無線端末の一部にソーラーパネルを設置して該ソーラーパネルを用いて発電した電力を補助的に利用するだけなら実用に供することもできるが、読み取ったＩＣカードのデータを例えばＩＣカードを管理する部署に送り、当該部署でＩＣカードの内容を確認してその結果を無線端末の表示部に表示させるような通信処理を頻繁に行わなければならないような場合には、上述したカードリーダ無線端末の一部に設置する構成のソーラーパネルからの電力量ではカードリーダ無線端末の電力量が十分に確保できない危惧があった。
【０００６】
電力量が不足する場合にその電力量を確保する方策として、上述した内蔵バッテリーを備えないカードリーダ端末のように、カードリーダ無線端末近くまで電源供給ケーブルを敷設し且つ配線して所定の電力量を確保しなければならず、その敷設及び配線のためのコストを新たに負担しなければならないという問題があった。
【０００７】
そこで本発明は、電源供給ケーブルを敷設しなくともＩＣカード読取無線端末の電力量を十分に確保できるソーラー式ＩＣカード読取無線端末搭載スタンドを提供することを目的とするものである。
【課題を解決するための手段】
【０００８】
上記課題を解決するために本発明のソーラー式ＩＣカード読取無線端末搭載スタンドは、外枠の天井に第１のソーラーパネルを搭載し、該外枠の前面に第２及び第３のソーラーパネルを搭載するとともに、前記第１のソーラーパネルに対してその重量及び強風耐用に補強材を設けてこれを支え、さらに、前記外枠の前面上部に有機ガラスから成る取付板を傾斜させて前記外枠に取り付け、該取付板に非接触でＩＣカードの情報を読み取る無線端末を取付け、該取付板の一部のみを透明のまま残し、該残した透明部分に前記無線端末の読取操作/表示部をあてがうよう配置したことを特徴とする。
【０００９】
また本発明のソーラー式ＩＣカード読取無線端末搭載スタンドは、前記第１のソーラーパネルおよび前記取付板の両側に設置された前記補強材によりフードを形成したことを特徴とする。
【００１０】
また本発明のソーラー式ＩＣカード読取無線端末搭載スタンドは、前記取付板としてアクリル樹脂を用いて渦電流の発生を防いだことを特徴とする。
さらにまた本発明のソーラー式ＩＣカード読取無線端末搭載スタンドは、前記外枠の側面にソーラーパネルをさらに搭載したことを特徴とする。
【００１１】
また本発明のソーラー式ＩＣカード読取無線端末搭載スタンドは、前記ソーラーパネルおよび前記取付板並びにメンテナンス用扉の各取付け部にパッキンやコーキングを行って防水処理を施すとともに該取り付け部を除く前記外枠を覆う部分に塗装を行って防錆処理を施したことを特徴とする。
【００１２】
さらにまた本発明のソーラー式ＩＣカード読取無線端末搭載スタンドは、前記無線端末を車載用充電器に充電可能にセットした状態で収納部に収納し、該収納部を保持する保持部を介して前記取付板に取り付けたことを特徴とする。
【００１３】
また本発明のソーラー式ＩＣカード読取無線端末搭載スタンドは、前記取付板の透明部分にあてがわれた前記無線端末の読取操作/表示部にＩＣカードをタッチまたは接近させる操作を行ったとき、認証の場合には、該読取操作/表示部に認証されたことを示す丸印を大きく表示し、不認証の場合には、×印を大きく表示することを特徴とする。
【発明の効果】
【００１４】
本発明によれば、電源供給ケーブルを敷設しなくともＩＣカード読取無線端末の電力量を十分に確保できる。
また本発明によれば、ソーラー式ＩＣカード読取無線端末が直射日光および風雨に曝されることを防ぐことができる。
【００１５】
また本発明によれば、ソーラー式ＩＣカード読取無線端末取付板を有機ガラス（特にアクリル樹脂）を使用して渦電流の発生を防いでいるので該無線端末の誤動作を防止することができる。
【００１６】
また本発明によれば、前面の複数箇所にソーラーパネルを取り付けるだけでなく側面にもソーラーパネルを取り付けることができるので、ソーラー式ＩＣカード読取無線端末に十分な電力を直流で供給することができる。また直流で供給するので電力の変換ロスを減らすことができる。
【００１７】
また本発明によれば、ソーラーパネルおよび取付板並びにメンテナンス用扉の取り付けに当って十分な防水処理および防錆処理を施すので、ソーラー式ＩＣカード読取無線端末を長期間にわたり安定して使用することができる。
【００１８】
また本発明によれば、ソーラー式ＩＣカード読取無線端末を車載用充電器に充電可能にセットした状態で収納・保持するので、収納・保持ずれによって読取不能を防ぐことができる。
【００１９】
また本発明によれば、ソーラー式ＩＣカード読取無線端末の読取操作/表示部に読み取り結果を大きく簡易に表示するので、結果表示の読取りミスを未然に防ぐことができる。
【図面の簡単な説明】
【００２０】
【図１】本発明の実施形態に係るソーラー式ＩＣカード読取無線端末搭載スタンドの構成概要を示す斜視図である。
【図２】本発明の実施形態に係るソーラー式ＩＣカード読取無線端末搭載スタンドの構成概要を示す断面図である。
【図３】本発明にかかるＩＣカード読取無線端末本体及びソーラーパネル間の接続概要を示す図である。
【図４】本発明にかかるＩＣカード読取無線端末本体及びソーラーパネル間の接続詳細を示す図である。
【図５】本発明の実施形態に係るソーラー式ＩＣカード読取無線端末搭載スタンドにおけるＩＣカード読取画面の遷移図である。
【図６】本発明にかかるソーラー式ＩＣカード読取無線端末を入退管理に適用した場合における入退管理システムの概要を示す図である。
【図７】図６の入退管理システムにおける個人情報及び入退場履歴情報のデータテーブル例を示す図である。
【発明を実施するための形態】
【００２１】
以下、本発明の実施の形態について、詳細に説明する。
図１は、本発明の実施形態に係るソーラー式ＩＣカード読取無線端末搭載スタンドの構成概要を示す斜視図である。図１において本発明の実施形態に係るソーラー式ＩＣカード読取無線端末搭載スタンドは、鉄製の外枠４の天井に第１のソーラーパネル１を搭載し、外枠４の前面に第２及び第３のソーラーパネル２，３を搭載している。ソーラーパネルは実際には不図示の取付板上に載置したうえで各固定するようになっている。そして天井に搭載した第１のソーラーパネル１に対してその重量及び強風耐用に補強材６を設けてこれを支えている。外枠４の前面上部には、透明性の高いエンジニアリングプラスチックである有機ガラス（例えばアクリル樹脂）から成る取付板７を傾斜させて外枠４に取り付け、該取付板７に非接触でＩＣカードの情報を読み取る無線端末１０を設置する。これについては後でも説明する。第１のソーラーパネル１および取付板７の両側に設置された補強材６によりフードが形成され、無線端末１０が直射日光および風雨に曝されることを防止している。図１では、無線端末１０の読取操作/表示部のみが透明のまま残された有機ガラス製の取付板７を通して見えるようにされており、透明のまま残された部分以外は外枠４と同色に塗装されるため内部が見えないようにされる。なお上記有機ガラスとして本発明では専らアクリル樹脂を用いる例について説明するが、ポリカーボネート樹脂であっても良い。
【００２２】
ＩＣカード所持者は該無線端末１０の読取操作/表示部に表示される指示にしたがってＩＣカードをタッチ又は近づける操作を行う。この操作を行うと不図示の無線ＬＡＮアクセスポイントを介して不図示のＬＡＮに接続され、該ＬＡＮに接続される管理装置（図示せず）でしかるべき処理がなされたうえで処理結果が無線端末１０の読取操作/表示部に表示される。なお、取付板７として鉄製でなく有機ガラス製(特に、アクリル樹脂製)を使用しているため、渦電流の発生を防ぐことが可能で、渦電流による誤動作を未然に防ぐことができる。上記において本発明の実施形態に係るソーラー式ＩＣカード読取無線端末搭載スタンドは、その全高が120〜130cm、前面の取付板下までの高さが75〜85cm、その幅が24〜26cm、その奥行が29〜31cm、の間で、それぞれ設定することが望ましい。
【００２３】
また図１では、前面にあって取付板７より下位置に第２のソーラーパネル２および第３のソーラーパネル３を搭載する例を示しているが、必ずしも前面だけでなく側面などにソーラーパネルを搭載することが可能である。最近のソーラーパネルは太陽光が直接あたらなくても発電が可能となるタイプのソーラーパネルが市販されているためそれを利用すればよい。
【００２４】
さらに裏面にはメンテナンス用扉５が設けられており、保守時には鍵を外して扉が開くように構成されている。また、本ソーラー式ＩＣカード読取無線端末搭載スタンドは、屋外に設置されるため、上記ソーラーパネル１〜３、取付板７、メンテナンス用扉５の取り付け部周りをパッキンやコーキングにより防水処理を施すとともに該取付け周りを除くその他の部分を塗装により防錆処理を施し、外枠４全体においてその内部に水が直接入らないようにするとともに表面などが錆びないようにしている。
【００２５】
図２は、本発明の実施形態に係るソーラー式ＩＣカード読取無線端末搭載スタンドの構成概要を示す断面図である。図２が図１に示したソーラー式ＩＣカード読取無線端末搭載スタンドの縦方向断面図であることから、アクリル樹脂から成る取付板７に取付けられた無線端末本体収納部８と、それを傾斜させた状態で保持する保持部９とが見てとれる。さらに第１の棚１１並びに第２の棚１２が設けられており、該第２の棚１２にバッテリー120が載置される。そして第２の棚１２は、浸水を避けるために接地面から10cmほどの高さに設置されている。また図１における説明で第１のソーラーパネル１と補強材６とでフードを形成しているのも見てとれる。なお図２では各構成要素を電気的に接続するケーブルなどは図示省略されている。
【００２６】
図３は、本発明にかかるＩＣカード読取無線端末本体及びソーラーパネル間の接続概要を示す図である。図３は、図１及び図２に示したソーラー式ＩＣカード読取無線端末搭載スタンドの各構成要素をどのように接続するかの概要を示したもので、詳細については後述する。図３において、ソーラーパネル100で発電されて取り出された電力が充放電コントローラ110を経てバッテリー120に加えられる。バッテリー120と充放電コントローラ110は上述したスタンド内の棚１１、１２に設置することができる。またバッテリー120は密閉型ではなく開放型のもので、後ろに接続する車載用充電器130とインタフェースが取れるように直流電圧12Ｖ用のものを用意する。そしてバッテリー120から車載用充電器130に電力が直流で供給され、さらにＩＣカード読取無線端末本体１０に直流で供給される。このように直流のままＩＣカード読取無線端末本体１０に電力を供給してインバータなどを使用しないため電力変換ロスを防ぐことができる。ＩＣカード読取無線端末本体１０は車載用充電器130に充電可能にセットされた状態で図２に示すように収納部８に安定的に収納され、該収納された状態で保持部９により取付板７に取り付けられる。なお、ＩＣカード読取無線端末本体１０は大容量のバッテリー（例えばリチウムイオン電池）を内蔵しており、車載用充電器130における電力に余力があれば内蔵バッテリーに充電する。ここにおいてＩＣカード読取無線端末１０としては市販されている、例えばカシオ計算機株式会社製のＤＴ−５３００（商品名：CASSIOPEIA（登録商標））など、を利用することができる。また充放電コントローラ110としては、市販されている、例えばMORNINGSTAR社製のSUNSAVER-6（登録商標）など、を利用することができる。
【００２７】
図４は、本発明にかかるＩＣカード読取無線端末本体及びソーラーパネル間の接続詳細を示す図である。つまり図４は、図３に示したソーラー式ＩＣカード読取無線端末搭載スタンドの接続概要をより詳細に示したものである。図４において、第１乃至第３のソーラーパネル１〜３は、プラス及びマイナスに分けられて配線ケーブル140に接続される。その場合、配線ケーブル140の所定箇所に差込型コネクタをプラス及びマイナスに分けて設け、該コネクタを介して第２及び第３のソーラーパネルを配線ケーブル140に接続する。第１乃至第３のソーラーパネル１〜３に接続された配線ケーブル140は、充放電コントローラ110の入力端子に接続され、第１乃至第３のソーラーパネル１〜３で発電されて取り出された電力が充放電コントローラ110に加えられる。充放電コントローラ110に設けられたバッテリー接続端子はバッテリー120に接続されている。バッテリー120は上述したように開放型でＤＣ12Ｖ用であることが望ましい。また充放電コントローラ110の出力端子に接続された接続プラグ付き配線ケーブル150は車載用充電器130に接続される。ＩＣカード読取無線端末本体１０は車載用充電器130に充電可能状態に載置されるようにしている。充電状態は、車載用充電器130に設けられた表示器の表示内容により識別することができる。
【００２８】
図５は、本発明の実施形態に係るソーラー式ＩＣカード読取無線端末搭載スタンドにおけるＩＣカード読取画面の遷移図である。すなわち、図５の（ａ）は、本発明の実施形態に係るソーラー式ＩＣカード読取無線端末搭載スタンドの最上位に位置するフード内の読取操作画面の外観を示すものであり、該フード内における読取操作画面の位置関係が理解できる。次いで図５の（ｂ）は、上記フード内にあってカードタッチ操作前の画面表示の内容を示すものである。いまや非接触で使用するＩＣカードに共通するタッチ操作を指示する内容が表示されている。ＩＣカード所持者は該表示にしたがって所持するＩＣカードをタッチまたは接近させる操作を行う。図５の（ｃ）は、図５の（ｂ）におけるカードタッチ操作から遷移したカードタッチ操作後の様子を示すものであり、図５の（ｃ）の場合は、認証されたことを示す丸印が画面に大きく表示されている。不認証の場合には、図５の（ｃ）における画面表示として×印が表示されるが、図示省略されている。
【００２９】
図６は、本発明にかかるソーラー式ＩＣカード読取無線端末を入退管理に適用した場合における入退管理システムの概要を示す図である。図６に示す入退管理システムは、図５に示す無線端末１０におけるＩＣカード読取操作画面において、カードタッチに基づいて入退要求を入退管理サーバ３０に処理させるものである。すなわち、ＩＣカード読取装置（無線端末１０）の読取操作画面にＩＣカード（図示せず）をタッチ又は近づけると、無線端末１０はＩＣカードに格納された情報を読み込み、無線ＬＡＮ-ＡＰ（アクセスポイント）やＬＡＮ（図示せず）を経由して入退管理サーバ３０に接続される。入退管理サーバ３０はカードタッチによる入退要求を受けると、入退要求をＩ／Ｆ６０に送信する。Ｉ／Ｆ６０は、入退ＤＢ(データベース)７０に照会を行って、入退に係る承認／不承認（ＯＫ／ＮＧ）を入退管理サーバ３０に返信する。入退管理サーバ３０は、入退結果を無線端末１０に返信し、無線端末１０は入退結果をその操作/表示画面に表示する。入退承認なら、図５の（ｃ）に示すように丸印を画面に表示する。入退不承認なら、図示していないが×印を画面に表示する。入退に係る情報は入退ＤＢ７０に入退場履歴情報としてその履歴を残すことができる。なお、上記ではＩ／Ｆ６０を介して入退ＤＢ７０にアクセスする例について説明したが、入退管理サーバ３０内に入退ＤＢ７０を設けることもできる。
【００３０】
図７は、図６の入退管理システムにおける個人情報及び入退場履歴情報のデータテーブル例を示す図である。図６に示す入退ＤＢ７０における個人情報に関するデータ構造は、図７の（ａ）に示されるように、ユーザＩＤ、カードＩＤｍ、氏名、・・などによって構成される。この照会によりＩＣカードのＩＤｍに対応する個人情報があるか否かの結果を入退管理サーバ３０に戻す。また、入退場ＤＢ７０における入退場履歴情報に関するデータ構造は、図７の（ｂ）に示されるように、日時、カードＩＤｍ、ゲート名、入場(結果)、退場(結果)などによって構成される。入退管理サーバ３０は、上述のようにして得た入退結果をソーラー式ＩＣカード読取無線端末１０に通知して入退結果を丸印や×印などで簡易表示するとともにその履歴を残すようにしている。
【符号の説明】
【００３１】
１  第１のソーラーパネル
２  第２のソーラーパネル
３  第３のソーラーパネル
４  外枠（鉄製）
５  メンテナンス用扉（鍵付き）
６  補強材（強風耐用）
７  取付板（アクリル樹脂等の有機ガラス製）
８  無線端末収納部
９  保持部
１０  無線端末（本体）
１１  第１の棚
１２  第２の棚
３０  入退管理サーバ
６０  Ｉ／Ｆ（インタフェース）
７０  入退ＤＢ（データベース）
100   ソーラーパネル
110   充放電コントローラ
120   バッテリー（開放型）
130   車載用充電器
140   配線ケーブル
150   接続プラグ付き配線ケーブル
【図１】
2011237948.tif 000003
【図３】
2011237948.tif 000004
【図６】
2011237948.tif 000005
【図７】
2011237948.tif 000006
【図２】
2011237948.tif 000007
【図４】
2011237948.tif 000008
【図５】
2011237948.tif 000009